(57)【要約】      （修正有）【課題】収納容器の高さ方向の空間も十分に利用でき、かつ収納したものを取り出しやすく、さらに、非使用時にはこの収納補助具は薄く折り畳むことができ、収納空間をより有効に利用することができ、特に衣類用に適した収納補助具を提供する。【解決手段】収納ケースに設置して用いられる収納補助具であって、第１の立壁板１と、第１の立壁板の底辺３１ｄ〜３１ｆの１辺で折り曲げられ接続された底板３と、底板の第１の立壁板が接続された辺と対向する辺３１ａ〜３１ｃの１辺で折り曲げられ接続された第２の立壁板２とから構成される収納部１０が複数並設され、隣接する複数の収納部同士が第１の立壁板と第２の立壁板の上端辺４で接続されている。【選択図】図１
0003196779.tif 000002
【実用新案登録請求の範囲】
【請求項１】
収納ケースに設置して用いられる収納補助具であって、
第１の立壁板と、前記第１の立壁板の底辺に折り畳み可能に接続された底板と、前記底板の前記第１の立壁板が接続された辺と対向する辺に折り畳み可能に接続された第２の立壁板とから構成される収納部が複数並設され、前記複数の収納部が、前記複数の収納部同士の隣接する前記第１の立壁板の上端辺と前記第２の立壁板の上端辺とが折り畳み可能に接続されたものである収納補助具。
【請求項２】
前記第１の立壁板、前記第２の立壁板および前記底板が、それぞれ略方形であることを特徴とする請求項１記載の収納補助具。
【請求項３】
前記複数の収納部同士の隣接する前記第１の立壁板および前記第２の立壁板は、互いに関わり合わせて留めるための凸状切込み部またはスリットを有することを特徴とする請求項１または２に記載の収納補助具。
【請求項４】
前記収納部の両側部に、折り畳み可能な側板を有することを特徴とする請求項１から３のいずれか１項に記載の収納補助具。
【請求項５】
前記収納補助具が、衣類用収納補助具である請求項１〜４のいずれか１項に記載の収納補助具。
【考案の詳細な説明】
【技術分野】
【０００１】
本考案は、収納補助具に関する。特に、衣類収納ケースの中で使用することで衣類の収納を補助する収納補助具に関する。
【背景技術】
【０００２】
机の引き出しや、タンス、収納ケースなどのように、様々なものを収納するとき、箱形の収納容器等が使用されている。これらの収納容器は、一般に木や金属、合成樹脂等の比較的剛性の高い素材で形成され、そのまま仕切りなしの容器形状のままで使用されたり、その用途に併せて適宜仕切りを設けた形状で使用されている。
【０００３】
仕切りなしの収納容器の場合、高さ方向の空間を十分に利用することができず、容器内に積重ねるように収納・保管することになりやすく、衣類などの収納するものが型崩れしたり下部に収納されたものを取り出しにくくなってしまう場合がある。一方、剛性の高い素材で強固に固定するように設けられた据付型の仕切り板がある場合、その仕切り板により、収納できるものの制限が生じることが問題となる場合がある。これらの収納容器の問題を解決するために、適宜、収納を補助する道具として、特許文献１には、衣類を型崩れなく垂直収納可能な衣類収納補助具が開示されている。
【先行技術文献】
【特許文献】
【０００４】
【特許文献１】特開２００７−１４５４２０号公報
【考案の概要】
【考案が解決しようとする課題】
【０００５】
前述のように、収納容器の高さ方向も利用でき、据付型の仕切り板とは異なり、自在に取り換えできる収納方法やその補助具が求められている。特許文献１のような衣類収納補助具を用いれば、垂直方向の利用もできるようになるが、収納しようとするものが少ないとき、その収納補助具そのものが嵩張ってしまい、収納スペースが制限されてしまう場合もあった。
【課題を解決するための手段】
【０００６】
本考案者は、上記課題を解決すべく鋭意研究を重ねた結果、下記の考案が上記目的に合致することを見出し、本考案に至った。
【０００７】
すなわち、本考案は、以下の考案に係るものである。
【０００８】
本考案の収納補助具は、収納ケースに設置して用いられる収納補助具であって、第１の立壁板と、前記第１の立壁板の底辺に折り畳み可能に接続された底板と、前記底板の前記第１の立壁板が接続された辺と対向する辺に折り畳み可能に接続された第２の立壁板とから構成される収納部が複数並設され、前記複数の収納部が、前記複数の収納部同士の隣接する前記第１の立壁板の上端辺と前記第２の立壁板の上端辺とが折り畳み可能に接続されたものである収納補助具に関するものである。
【０００９】
本考案の収納補助具によれば、収納に用いるとき（使用時）、第１の立壁板と、底板と、第２の立壁板とにより構成される収納部により形成されるスペースに、そのスペースの幅に併せた様々なものを効率よく収納することができる。また、この収納部は複数並設されていることから、それぞれの収納部により形成されるスペースに、ものを収納することができる。また、この収納補助具は、第１の立壁板と、底板と、第２の立壁板と、隣接する前記第１の立壁板の上端辺と前記第２の立壁板の上端辺とが、それぞれ折り畳み可能に接続されているため、その接続部を折り畳むことで、非使用時は、薄く折り畳むことができ、嵩張らない。
【００１０】
本考案の収納補助具は、前記第１の立壁板、前記第２の立壁板および前記底板が、それぞれ略方形であること特徴とすることができる。このような形状のとき、使用時に各収納部により形成されるスペースがより安定し、かつ非使用時に折り畳みやすくなる。
【００１１】
また、本考案の収納補助具は、前記複数の収納部同士の隣接する前記第１の立壁板および前記第２の立壁板は、互いに関わり合わせて留めるための凸状切込み部またはスリットを有する収納補助具とすることができる。使用時に収納部の第１の立壁板と、隣接する収納部の第２の立壁板とは、面全体として接した押さえ板となる。ここで、第１の立壁板が凸状切込み部を有し、かつ、隣接する収納部の第２の立壁板が、第１の立壁板の凸状切込み部と対応する位置に互いに関わり合わせて留めるためのスリットを有するとき、凸状切込み部を、スリットに差し込むことで第１の立壁板と第２の立壁板との一体性が向上し、収納助具全体の安定性を向上させることができる。同様に第１の立壁板がスリットを有するときは、第２の立壁板に対応する位置に互いに関わり合わせて留めるための凸状切込み部を設けておく構成としても良い。
【００１２】
また、本考案の収納補助具は、前記収納部において、前記収納部の両側部に、折り畳み可能な側板を有する収納補助具とすることができる。例えば、この折り畳み可能な側板は、収納部の両側部の、第１の立壁板と第２の立壁板とが接続される接続部の近く（すなわち使用時の上端付近）に設けておくことができる。この側板を設けた収納補助具は、この側板を折り畳んで使用することもでき、折り畳んで使用すれば、収納補助具全体を狭い幅のまま使用することができる。または、一方の折り畳み可能な側板のみを拡張したり、両方の折り畳み可能な側板を拡張したりと幅を選択して使用することができるようになる。
【考案の効果】
【００１３】
本考案の収納補助具によれば、収納容器の高さ方向の空間も十分に利用でき、かつ、各立壁板により各収納部が仕切られていることから収納したものを取り出しやすく、さらに、非使用時にはこの収納補助具は薄いものにすることができるため、収納空間をより有効に利用することができる。
【図面の簡単な説明】
【００１４】
【図１】本考案の第１の実施形態に係る収納補助具を展開した状態の平面図である。
【図２】本考案の第１の実施形態に係る収納補助具を立設した状態の斜視図である。
【図３】本考案の第１の実施形態に係る収納補助具を他の底板折り曲げ線で立設した状態の斜視図である。
【図４】本考案の第１の実施形態に係る収納補助具を折り畳んだ状態の斜視図である。
【図５】本考案の第１の実施形態に係る収納補助具の使用状態を表わす斜視図である。
【図６】本考案の第２の実施形態に係る収納補助具を展開した状態の平面図である。
【図７】本考案の第２の実施形態に係る収納補助具を立設した状態の斜視図である。
【図８】本考案の第３の実施形態に係る収納補助具を展開した状態の平面図である。
【図９】本考案の第３の実施形態に係る収納補助具を立設した状態の斜視図である。
【図１０】本考案の第４の実施形態に係る収納補助具を立設した状態の斜視図である。
【考案を実施するための形態】
【００１５】
以下、本考案の実施の形態について具体例等を示して詳細に説明する。
【００１６】
［第１の実施形態］
本考案の第１の実施形態を、図１〜５を用いて説明する。図１に、本考案の第１の実施形態に係る収納補助具を展開した状態の平面図を示す。また、図２に、この収納補助具を立設した状態の斜視図を示す。また、図３に、この収納補助具を他の底板折り曲げ線で立設した状態の斜視図を示す。また、図４にこの収納補助具を折り畳んだ状態の斜視図を示す。また、図５に、この収納補助具の使用状態を表わす斜視図を示す。
【００１７】
本考案の第１の実施形態に係る収納補助具１００は、第１の立壁板１と、第１の立壁板１の底辺に接続された底板３と、前記底板の前記第１の立壁板が接続された辺と対向する辺に接続された第２の立壁板２とから構成される収納部１０が複数並設されたものである。また、前記複数の収納部１０は、前記複数の収納部１０同士の隣接する前記第１の立壁板１の上端辺と前記第２の立壁板２の上端辺とが接続部４で接続されたものである。すなわち、収納補助具１００は第１の立壁板１と、底板３と、第２の立壁板２とを、繰り返し単位として、これが複数繰り返して接続されたものである。また、この底板３と、第１の立壁板１および第２の立壁板２の、それぞれの接続部は、底板の広さで第一の立壁板１と第２の立壁板２が離れるように、それぞれ谷折りに折り畳みできる構成である。
【００１８】
ここで、第１の立壁板１と、底板３と、第２の立壁板２は、例えば、厚紙や、シート状の樹脂成型品等の、比較的薄くて、かつ、立設時に自立し得る程度の剛性を有するものを使用することができる。例えば、本考案の収納補助具１００は、１枚の厚紙を切り抜いて全体構造を成形し、各接続部や底板折り曲げ線（図１の底板折り曲げ線としては、各収納部に６本）に相当する辺に浅い切込み線をいれておいたり、収納部単位毎や各立壁板や底板毎に成形し接続するなどの方法で作製することもできる。また、この収納補助具１００における収納部を並設する数は、２以上の任意の数であり、使用時を想定した収納部の幅や収納するものの大きさ、収納ケースの大きさ、収納補助具により補助しようとする範囲等から適宜設定されるものである。例えば、家庭用の衣類収納ケース等の一般的な収納容器等に用いる場合収納部を並設する数は、５〜３０が好ましく、５〜２０がより好ましい。収納部の数が多いほど収納できる部分も増え、また、本考案の収納補助具が非使用時には折り曲げることで嵩張らないといった利点がより有効となる。一方、一般的な衣類収納ケースに適用する場合、その奥行と収納部の幅との関係から上記したような範囲内であるとき、収納される衣類に適した収納部の幅を確保しやすく、収納した衣類の取り出しも行いやすい。
【００１９】
この収納補助具１００は、底板３に複数設けられた底板折り曲げ線３１（３１ａ〜３１ｆの６本）から、任意の２つの底板折り曲げ線で折り曲げて（谷折り）、底板３による底板３ａ（図２）や底板３ｂ（図３）をなし、第１の立壁板１と第２の立壁板１との接続部４を折り曲げ（山折り）て、立設させることができる。また、底板３の底板折り曲げ線３１の選択によって、底板（３ａ、３ｂ）の幅および収納補助具１００の高さを調整することができる。第１の立壁板１と第２の立壁板２との間隙を自在に調整できるように、底板３には複数の底板折り曲げ線３１が設けられているものとすることができる。例えば、図２は底板３ａが狭い幅となるように底板折り曲げ線３１ｃと３１ｄを選択して折り曲げて立設した状態であり、図３は底板３ｂが広い幅となるように折り曲げ線３１ａと３１ｆを選択して折り曲げて立設した状態である。本考案の収納補助具は、複数の収納部１０同士の隣接する第１の立壁板１の上端辺と、第２の立壁板２の上端辺とが、接続部４で接続されており、この接続部４は、収納補助具１００を使用する時の収納補助具の上端となる。
【００２０】
また、図４に、収納補助具を、非使用時に折り畳んだ状態を示す。このように、本考案の収納補助具は、非使用時には薄く小さい状態に畳んでおくことができる。これは、底板３の折り畳み線による折り畳み（谷折り）と、第１の立壁板と第２の立壁板と接続部４の折り畳み（山折り）とが繰り返されるため、全体として蛇腹に折り畳むことができ、非使用時の収容性に優れているためである。
【００２１】
また、図５は、使用時に立設させた収納補助具１００の状態を表わす一例であり、収納ケース２０Ａに設置して用いて、その収納部により形成されるスペースの一つにＴシャツ３０Ａを収容した状態である。このように、本考案の収納補助具を用いれば、Ｔシャツ等の衣類などを、収納ケースに縦置きすることもでき、収容ケースの空間をより広く利用でき、かつ、収納したもの（衣類など）を取り出しやすいものとなる。また、収納部が複数並設されており、各収納部が縦置き収納の補助を行うものである。このように本考案の収納補助具は、衣類用の収納ケースや机の棚等にケースに併せて設計して使用され、それぞれの収納ケース内で収納を補助する。
【００２２】
［第２の実施形態］
本考案の第２の実施形態を、図６、７を用いて説明する。図６は、本考案の第２の実施形態に係る収納補助具１００を展開した状態の平面図である。また、図７は、その収納補助具１００を立設した状態の斜視図である。この第２の実施形態の収納補助具１００は、基本的な構成において前述の第１の実施形態と共通するが、さらに、第２の立壁板２に凸状切込み部５を設け、第１の立壁板１にスリット６を設けたものである。立設時には、第２の立壁板の凸状切込み部５を、隣接する第１の立壁板の互いに関わり合わせて留めるためのスリット６に差し込むことで、第１の立壁板１と、隣接する第２の立壁板２とを固定し、押さえ板７Ａ（図７）としてより強い剛性を示すものとして安定させることができ、より安定した使用感を得ることができる。
【００２３】
［第３の実施形態］
本考案の第３の実施形態を、図８、９を用いて説明する。図８は、本考案の第３の実施形態に係る収納補助具１００を展開した状態の平面図である。また、図９は、その収納補助具１００を立設した状態の斜視図である。この第３の実施形態においては、収納部１０の両側部に、折り畳み自在に側板８を設けたものである。この側板８は、隣接する第１の立壁板１および第２の立壁板２との対応する部分に設けられており、側板８の折り曲げ線８Ａにより折り曲げ自在な構造である。この側板８は、立設してしようするとき、両方広げて使用する押さえ板７Ｂのように使用したり、一方の側板だけ広げて他方の側板は立壁板の内側方向に収納するように折り曲げた押さえ板７Ｃのように狭い幅で使用したり、両側部について拡幅するか否かの調整によりその幅を適宜選択できる。
【００２４】
［第４の実施形態］
本考案の第４の実施形態を、図１０を用いて説明する。図１０は、底板３に通常よりも多くの底板折り曲げ線を設けて、曲面状の底板３ｃをなすことができるように作製し、立設させた状態を表わす斜視図である。このように、底板は平面のみではなく、この収納補助具を用いて収納しようとするものなどに併せて、適宜調整可能にすることができる。
【符号の説明】
【００２５】
１  第１の立壁板
２  第２の立壁板
３  底板
３１  底板折り曲げ線
３ａ、３ｂ、３ｃ  底板
４  接続部
５  凸状切込み部
６  スリット
７Ａ、７Ｂ、７Ｃ  押さえ板
８  側板
８Ａ  側板の折り曲げ線
１０  収納部
２０Ａ  収納ケース
３０Ａ  Ｔシャツ
１００  収納補助具
【図１】
0003196779.tif 000003
【図２】
0003196779.tif 000004
【図３】
0003196779.tif 000005
【図４】
0003196779.tif 000006
【図５】
0003196779.tif 000007
【図６】
0003196779.tif 000008
【図７】
0003196779.tif 000009
【図８】
0003196779.tif 000010
【図９】
0003196779.tif 000011
【図１０】
0003196779.tif 000012